(57)【要約】【課題】無線通信品質の測定報告の増大を抑制すること。【解決手段】無線通信システム１は、基地局装置Ｓ−ＢＳと、基地局装置Ｓ−ＢＳの通信圏内に存在する複数の第１端末装置ＵＥ１と、基地局装置Ｓ−ＢＳの通信圏外に存在する第２端末装置ＵＥ２と、第２端末装置ＵＥ２からの特定サービスタイプの通信サービス要求に応じて、当該特定サービスタイプに対応する無線通信品質測定により中継端末装置に決定された第１端末装置ＵＥ１と、第２端末装置ＵＥ２との間の端末間通信の設定を行う制御装置１０と、を備え、当該特定のサービスタイプに対応する過去の無線通信品質測定を再利用し、当該再利用を行う場合には当該特定のサービスタイプに対応する新規の無線通信品質測定の測定報告を実施させない。【選択図】図１
2019096935.tif 000002
【特許請求の範囲】
【請求項１】
基地局装置と、
前記基地局装置の通信圏内に存在する複数の第１端末装置と、
前記基地局装置の通信圏外に存在する第２端末装置と、
前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備え、
前記第２端末装置からの特定のサービスタイプの通信サービス要求に応じて、当該特定のサービスタイプに対応する過去の無線通信品質測定を再利用し、当該再利用を行う場合には当該特定のサービスタイプに対応する新規の無線通信品質測定の測定報告を実施させない、
無線通信システム。
【請求項２】
前記制御装置は、
第１端末装置による当該第１端末装置と前記基地局装置との間の無線通信品質測定の測定報告に基づいて前記複数の第１端末装置の中から決定された通信サービスの各サービスタイプに対応する前記中継端末装置の候補を示す中継端末候補リストを格納するリスト格納部と、
前記第２端末装置からの特定のサービスタイプの通信サービス要求に応じて、前記中継端末候補リストの中に当該特定のサービスタイプに対応する前記中継端末装置の候補が存在するか否かを判断し、前記中継端末候補リストの中に該当候補が存在する場合には新規の前記無線通信品質測定の測定報告を実施させない、一方、前記中継端末候補リストの中に該当候補が存在しない場合には当該特定のサービスタイプに対応する新規の前記無線通信品質測定の測定報告を実施させ、当該新規の前記無線通信品質測定の測定報告に基づいて当該特定のサービスタイプに対応する前記中継端末装置に決定された第１端末装置の情報により前記中継端末候補リストを更新する情報収集部と、を備え、
前記基地局装置は、前記制御装置からの特定のサービスタイプに対応する新規の前記無線通信品質測定の要求に応じて、当該特定のサービスタイプに対応する新規の前記無線通信品質測定の設定を第１端末装置に行う測定設定部を備え、
前記第１端末装置は、前記基地局装置からの特定のサービスタイプに対応する新規の前記無線通信品質測定の設定に従って、当該特定のサービスタイプに対応する新規の前記無線通信品質測定の測定報告を行う測定部を備える、
請求項１に記載の無線通信システム。
【請求項３】
前記測定設定部は、移動中状態、通信中状態、禁止エリア該当状態及び無線品質不適状態のうち少なくともいずれかの状態に該当する第１端末装置を前記複数の第１端末装置の中から除外した残りの第１端末装置に対して、新規の前記無線通信品質測定の測定報告を実施させる、
請求項２に記載の無線通信システム。
【請求項４】
前記基地局装置は、自セルに隣接する隣接セルの他基地局装置から前記他基地局装置が当該隣接セルで使用中の周波数帯を示す使用周波数帯情報を受信する基地局情報交換部をさらに備え、
前記測定設定部は、前記使用周波数帯情報により示される前記周波数帯を自セルで使用可能な複数の周波数帯の中から除外した残りの周波数帯を対象にして、新規の前記無線通信品質測定の測定報告を実施させる、
請求項２又は３のいずれか１項に記載の無線通信システム。
【請求項５】
基地局装置と、前記基地局装置の通信圏内に存在する複数の第１端末装置と、前記基地局装置の通信圏外に存在する第２端末装置と、前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備える無線通信システムの前記制御装置であり、
第１端末装置による当該第１端末装置と前記基地局装置との間の無線通信品質測定の測定報告に基づいて前記複数の第１端末装置の中から決定された通信サービスの各サービスタイプに対応する前記中継端末装置の候補を示す中継端末候補リストを格納するリスト格納部と、
前記第２端末装置からの特定のサービスタイプの通信サービス要求に応じて、前記中継端末候補リストの中に当該特定のサービスタイプに対応する前記中継端末装置の候補が存在するか否かを判断し、前記中継端末候補リストの中に該当候補が存在する場合には新規の前記無線通信品質測定の測定報告を実施させない、一方、前記中継端末候補リストの中に該当候補が存在しない場合には当該特定のサービスタイプに対応する新規の前記無線通信品質測定の測定報告を実施させ、当該新規の前記無線通信品質測定の測定報告に基づいて当該特定のサービスタイプに対応する前記中継端末装置に決定された第１端末装置の情報により前記中継端末候補リストを更新する情報収集部と、
を備える制御装置。
【請求項６】
無線通信システムの制御装置からの特定のサービスタイプに対応する新規の無線通信品質測定の要求に応じて、当該特定のサービスタイプに対応する新規の無線通信品質測定の設定を、自基地局装置の通信圏内に存在する第１端末装置に行う測定設定部を備え、
特定のサービスタイプに対応する過去の無線通信品質測定の再利用が行われる場合には当該特定のサービスタイプに対応する新規の無線通信品質測定の測定報告を前記第１端末装置に実施させない、
基地局装置。
【請求項７】
無線通信システムの基地局装置からの特定のサービスタイプに対応する新規の無線通信品質測定の設定に従って、当該特定のサービスタイプに対応する新規の無線通信品質測定の測定報告を行う測定部を備え、
特定のサービスタイプに対応する過去の無線通信品質測定の再利用が行われる場合には当該特定のサービスタイプに対応する新規の無線通信品質測定の測定報告を実施しない、
端末装置。
【請求項８】
基地局装置と、前記基地局装置の通信圏内に存在する複数の第１端末装置と、前記基地局装置の通信圏外に存在する第２端末装置と、前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備える無線通信システムの無線通信品質測定方法であり、
前記第２端末装置からの特定のサービスタイプの通信サービス要求に応じて、当該特定のサービスタイプに対応する過去の無線通信品質測定を再利用し、当該再利用を行う場合には当該特定のサービスタイプに対応する新規の無線通信品質測定の測定報告を実施させない、
無線通信品質測定方法。
【請求項９】
基地局装置と、前記基地局装置の通信圏内に存在する複数の第１端末装置と、前記基地局装置の通信圏外に存在する第２端末装置と、前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備える無線通信システムの前記制御装置のコンピュータに、
第１端末装置による当該第１端末装置と前記基地局装置との間の無線通信品質測定の測定報告に基づいて前記複数の第１端末装置の中から決定された通信サービスの各サービスタイプに対応する前記中継端末装置の候補を示す中継端末候補リストを格納するリスト格納機能と、
前記第２端末装置からの特定のサービスタイプの通信サービス要求に応じて、前記中継端末候補リストの中に当該特定のサービスタイプに対応する前記中継端末装置の候補が存在するか否かを判断し、前記中継端末候補リストの中に該当候補が存在する場合には新規の前記無線通信品質測定の測定報告を実施させない、一方、前記中継端末候補リストの中に該当候補が存在しない場合には当該特定のサービスタイプに対応する新規の前記無線通信品質測定の測定報告を実施させ、当該新規の前記無線通信品質測定の測定報告に基づいて当該特定のサービスタイプに対応する前記中継端末装置に決定された第１端末装置の情報により前記中継端末候補リストを更新する情報収集機能と、
を実現させるためのコンピュータプログラム。
【請求項１０】
無線通信システムの基地局装置のコンピュータに、
前記無線通信システムの制御装置からの特定のサービスタイプに対応する新規の無線通信品質測定の要求に応じて、当該特定のサービスタイプに対応する新規の無線通信品質測定の設定を、自基地局装置の通信圏内に存在する第１端末装置に行う測定設定機能を実現させるためのコンピュータプログラムであり、
特定のサービスタイプに対応する過去の無線通信品質測定の再利用が行われる場合には当該特定のサービスタイプに対応する新規の無線通信品質測定の測定報告を前記第１端末装置に実施させない、
コンピュータプログラム。
【請求項１１】
無線通信システムの第１端末装置のコンピュータに、
前記無線通信システムの基地局装置からの特定のサービスタイプに対応する新規の無線通信品質測定の設定に従って、当該特定のサービスタイプに対応する新規の無線通信品質測定の測定報告を行う測定機能を実現させるためのコンピュータプログラムであり、
特定のサービスタイプに対応する過去の無線通信品質測定の再利用が行われる場合には当該特定のサービスタイプに対応する新規の無線通信品質測定の測定報告を実施しない、
コンピュータプログラム。
【発明の詳細な説明】
【技術分野】
【０００１】
本発明は、無線通信システム、制御装置、基地局装置、端末装置、無線通信品質測定方法及びコンピュータプログラムに関する。
【背景技術】
【０００２】
無線通信システムにおいて、基地局装置の通信圏内に存在する端末装置が、当該基地局装置の通信圏外に存在する他の端末装置との間で端末間（D2D：Device to Device）通信を行い、当該他の端末装置と当該基地局装置との間の通信を中継する無線中継方法が知られている。その従来の無線中継方法では、基地局装置の通信圏内に存在する複数の端末装置の中から、他の端末装置の通信の中継を行う端末装置を決定する際に、中継候補の端末装置と当該基地局装置との間の無線通信品質の測定により、他の端末装置の通信の中継を行う端末装置を決定する（例えば、特許文献１，２、非特許文献１参照）。また、Ｄ２Ｄ通信におけるキャリアアグリゲーション（Carrier Aggregation）技術が例えば非特許文献２に記載されている。
【先行技術文献】
【特許文献】
【０００３】
【特許文献１】国際公開第２０１６／１８２６４２号
【特許文献２】国際公開第２０１６／１８２５９７号
【非特許文献】
【０００４】
【非特許文献１】ERICSSON, "Measurements, Signaling, and Selection Rules for Relay Discovery", Doc. R1-151767, 3GPP TSG RAN WG1 Meeting, Belgrade, Serbia, April 20-24, 2015
【非特許文献２】Intel Corporation, On Carrier Aggregation for LTE V2V Sidelink Communication", Doc. R1-1705446, 3GPP TSG RAN1 WG Meeting, Spokane, USA, April 3-7, 2017
【発明の概要】
【発明が解決しようとする課題】
【０００５】
上述した従来の無線中継方法では、中継候補の全ての端末装置が無線通信品質の測定報告（Measurement Report）を行うために、特に端末数が多い大規模な無線通信システムでは測定報告が頻発することにより無線通信容量が低下する問題が生じる可能性があった。
【０００６】
本発明は、このような事情を考慮してなされたものであり、その目的は、無線通信品質の測定報告の増大を抑制することにある。
【課題を解決するための手段】
【０００７】
（１）本発明の一態様は、基地局装置と、前記基地局装置の通信圏内に存在する複数の第１端末装置と、前記基地局装置の通信圏外に存在する第２端末装置と、前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備え、前記第２端末装置からの特定のサービスタイプの通信サービス要求に応じて、当該特定のサービスタイプに対応する過去の無線通信品質測定を再利用し、当該再利用を行う場合には当該特定のサービスタイプに対応する新規の無線通信品質測定の測定報告を実施させない、無線通信システムである。
【０００８】
（２）本発明の一態様は、上記（１）の無線通信システムにおいて、前記制御装置は、第１端末装置による当該第１端末装置と前記基地局装置との間の無線通信品質測定の測定報告に基づいて前記複数の第１端末装置の中から決定された通信サービスの各サービスタイプに対応する前記中継端末装置の候補を示す中継端末候補リストを格納するリスト格納部と、前記第２端末装置からの特定のサービスタイプの通信サービス要求に応じて、前記中継端末候補リストの中に当該特定のサービスタイプに対応する前記中継端末装置の候補が存在するか否かを判断し、前記中継端末候補リストの中に該当候補が存在する場合には新規の前記無線通信品質測定の測定報告を実施させない、一方、前記中継端末候補リストの中に該当候補が存在しない場合には当該特定のサービスタイプに対応する新規の前記無線通信品質測定の測定報告を実施させ、当該新規の前記無線通信品質測定の測定報告に基づいて当該特定のサービスタイプに対応する前記中継端末装置に決定された第１端末装置の情報により前記中継端末候補リストを更新する情報収集部と、を備え、前記基地局装置は、前記制御装置からの特定のサービスタイプに対応する新規の前記無線通信品質測定の要求に応じて、当該特定のサービスタイプに対応する新規の前記無線通信品質測定の設定を第１端末装置に行う測定設定部を備え、前記第１端末装置は、前記基地局装置からの特定のサービスタイプに対応する新規の前記無線通信品質測定の設定に従って、当該特定のサービスタイプに対応する新規の前記無線通信品質測定の測定報告を行う測定部を備える、無線通信システムである。
（３）本発明の一態様は、上記（２）の無線通信システムにおいて、前記測定設定部は、移動中状態、通信中状態、禁止エリア該当状態及び無線品質不適状態のうち少なくともいずれかの状態に該当する第１端末装置を前記複数の第１端末装置の中から除外した残りの第１端末装置に対して、新規の前記無線通信品質測定の測定報告を実施させる、無線通信システムである。
（４）本発明の一態様は、上記（２）又は（３）のいずれかの無線通信システムにおいて、前記基地局装置は、自セルに隣接する隣接セルの他基地局装置から前記他基地局装置が当該隣接セルで使用中の周波数帯を示す使用周波数帯情報を受信する基地局情報交換部をさらに備え、前記測定設定部は、前記使用周波数帯情報により示される前記周波数帯を自セルで使用可能な複数の周波数帯の中から除外した残りの周波数帯を対象にして、新規の前記無線通信品質測定の測定報告を実施させる、無線通信システムである。
【０００９】
（５）本発明の一態様は、基地局装置と、前記基地局装置の通信圏内に存在する複数の第１端末装置と、前記基地局装置の通信圏外に存在する第２端末装置と、前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備える無線通信システムの前記制御装置であり、第１端末装置による当該第１端末装置と前記基地局装置との間の無線通信品質測定の測定報告に基づいて前記複数の第１端末装置の中から決定された通信サービスの各サービスタイプに対応する前記中継端末装置の候補を示す中継端末候補リストを格納するリスト格納部と、前記第２端末装置からの特定のサービスタイプの通信サービス要求に応じて、前記中継端末候補リストの中に当該特定のサービスタイプに対応する前記中継端末装置の候補が存在するか否かを判断し、前記中継端末候補リストの中に該当候補が存在する場合には新規の前記無線通信品質測定の測定報告を実施させない、一方、前記中継端末候補リストの中に該当候補が存在しない場合には当該特定のサービスタイプに対応する新規の前記無線通信品質測定の測定報告を実施させ、当該新規の前記無線通信品質測定の測定報告に基づいて当該特定のサービスタイプに対応する前記中継端末装置に決定された第１端末装置の情報により前記中継端末候補リストを更新する情報収集部と、を備える制御装置である。
【００１０】
（６）本発明の一態様は、無線通信システムの制御装置からの特定のサービスタイプに対応する新規の無線通信品質測定の要求に応じて、当該特定のサービスタイプに対応する新規の無線通信品質測定の設定を、自基地局装置の通信圏内に存在する第１端末装置に行う測定設定部を備え、特定のサービスタイプに対応する過去の無線通信品質測定の再利用が行われる場合には当該特定のサービスタイプに対応する新規の無線通信品質測定の測定報告を前記第１端末装置に実施させない、基地局装置である。
【００１１】
（７）本発明の一態様は、無線通信システムの基地局装置からの特定のサービスタイプに対応する新規の無線通信品質測定の設定に従って、当該特定のサービスタイプに対応する新規の無線通信品質測定の測定報告を行う測定部を備え、特定のサービスタイプに対応する過去の無線通信品質測定の再利用が行われる場合には当該特定のサービスタイプに対応する新規の無線通信品質測定の測定報告を実施しない、端末装置である。
【００１２】
（８）本発明の一態様は、基地局装置と、前記基地局装置の通信圏内に存在する複数の第１端末装置と、前記基地局装置の通信圏外に存在する第２端末装置と、前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備える無線通信システムの無線通信品質測定方法であり、前記第２端末装置からの特定のサービスタイプの通信サービス要求に応じて、当該特定のサービスタイプに対応する過去の無線通信品質測定を再利用し、当該再利用を行う場合には当該特定のサービスタイプに対応する新規の無線通信品質測定の測定報告を実施させない、無線通信品質測定方法である。
【００１３】
（９）本発明の一態様は、基地局装置と、前記基地局装置の通信圏内に存在する複数の第１端末装置と、前記基地局装置の通信圏外に存在する第２端末装置と、前記第２端末装置からの特定のサービスタイプの通信サービス要求に応じて、当該特定のサービスタイプに対応する無線通信品質測定により前記第２端末装置と前記基地局装置との間の通信を中継する中継端末装置に決定された前記第１端末装置と、前記第２端末装置との間の端末間通信の設定を行う制御装置と、を備える無線通信システムの前記制御装置のコンピュータに、第１端末装置による当該第１端末装置と前記基地局装置との間の無線通信品質測定の測定報告に基づいて前記複数の第１端末装置の中から決定された通信サービスの各サービスタイプに対応する前記中継端末装置の候補を示す中継端末候補リストを格納するリスト格納機能と、前記第２端末装置からの特定のサービスタイプの通信サービス要求に応じて、前記中継端末候補リストの中に当該特定のサービスタイプに対応する前記中継端末装置の候補が存在するか否かを判断し、前記中継端末候補リストの中に該当候補が存在する場合には新規の前記無線通信品質測定の測定報告を実施させない、一方、前記中継端末候補リストの中に該当候補が存在しない場合には当該特定のサービスタイプに対応する新規の前記無線通信品質測定の測定報告を実施させ、当該新規の前記無線通信品質測定の測定報告に基づいて当該特定のサービスタイプに対応する前記中継端末装置に決定された第１端末装置の情報により前記中継端末候補リストを更新する情報収集機能と、を実現させるためのコンピュータプログラムである。
【００１４】
（１０）本発明の一態様は、無線通信システムの基地局装置のコンピュータに、前記無線通信システムの制御装置からの特定のサービスタイプに対応する新規の無線通信品質測定の要求に応じて、当該特定のサービスタイプに対応する新規の無線通信品質測定の設定を、自基地局装置の通信圏内に存在する第１端末装置に行う測定設定機能を実現させるためのコンピュータプログラムであり、特定のサービスタイプに対応する過去の無線通信品質測定の再利用が行われる場合には当該特定のサービスタイプに対応する新規の無線通信品質測定の測定報告を前記第１端末装置に実施させない、コンピュータプログラムである。
【００１５】
（１１）本発明の一態様は、無線通信システムの第１端末装置のコンピュータに、前記無線通信システムの基地局装置からの特定のサービスタイプに対応する新規の無線通信品質測定の設定に従って、当該特定のサービスタイプに対応する新規の無線通信品質測定の測定報告を行う測定機能を実現させるためのコンピュータプログラムであり、特定のサービスタイプに対応する過去の無線通信品質測定の再利用が行われる場合には当該特定のサービスタイプに対応する新規の無線通信品質測定の測定報告を実施しない、コンピュータプログラムである。
【発明の効果】
【００１６】
本発明によれば、無線通信品質の測定報告の増大を抑制することができるという効果が得られる。
【図面の簡単な説明】
【００１７】
【図１】一実施形態に係る無線通信システムの例を示す概略構成図である。
【図２】一実施形態に係る無線中継方法の手順の例を示すシーケンス図である。
【図３】一実施形態に係る新規の無線通信品質測定の測定報告の実施判断方法を説明するための概念図である。
【図４】一実施形態に係る無線通信品質測定の設定方法の例２を説明するための概念図である。
【図５】一実施形態に係る無線通信システム１の一実施例の説明図である。
【図６】一実施形態に係る中継端末候補リスト２０の一構成例を示す図である。
【図７】一実施形態に係る端末除外条件の一例を示す図である。
【図８】一実施形態に係る無線通信システム１の適用例を示す概略構成図である。
【発明を実施するための形態】
【００１８】
以下、図面を参照し、本発明の実施形態について説明する。
図１は、一実施形態に係る無線通信システムの例を示す概略構成図である。図１において、無線通信システム１は、基地局装置Ｓ−ＢＳと、基地局装置Ｍ−ＢＳと、端末装置ＵＥ１と、端末装置ＵＥ２と、制御装置１０と、を備える。
【００１９】
基地局装置Ｓ−ＢＳのセルＳ−Ｃｅｌｌは、基地局装置Ｍ−ＢＳのセルＭ−Ｃｅｌｌと重複して配置されている。セルＳ−Ｃｅｌｌの全てがセルＭ−Ｃｅｌｌに包含されてもよく、又は、セルＳ−Ｃｅｌｌの一部のみがセルＭ−Ｃｅｌｌと重複してもよい。以下、説明の便宜上、基地局装置Ｓ−ＢＳをスモール基地局Ｓ−ＢＳと称し、セルＳ−ＣｅｌｌをスモールセルＳ−Ｃｅｌｌと称し、基地局装置Ｍ−ＢＳをマクロ基地局Ｍ−ＢＳと称し、セルＭ−ＣｅｌｌをマクロセルＭ−Ｃｅｌｌと称する。
【００２０】
端末装置ＵＥ１は、スモールセルＳ−Ｃｅｌｌ内に存在する。つまり、端末装置ＵＥ１は、スモール基地局Ｓ−ＢＳの通信圏内に存在する。端末装置ＵＥ１は、第１端末装置に対応する。端末装置ＵＥ１は、複数存在する。端末装置ＵＥ１は、無線通信リンク１０３によりスモール基地局Ｓ−ＢＳと通信を行う。端末装置ＵＥ１は、スモール基地局Ｓ−ＢＳを介して、インターネット等の外部の通信ネットワークＮＷにアクセスすることができる。
【００２１】
端末装置ＵＥ２は、スモールセルＳ−Ｃｅｌｌ外に存在する。つまり、端末装置ＵＥ１は、スモール基地局Ｓ−ＢＳの通信圏外に存在する。端末装置ＵＥ２は、第２端末装置に対応する。端末装置ＵＥ２は、マクロセルＭ−Ｃｅｌｌ内に存在し、無線通信リンク１０４によりマクロ基地局Ｍ−ＢＳと通信を行う。端末装置ＵＥ２は、マクロ基地局Ｍ−ＢＳを介して、インターネット等の外部の通信ネットワークＮＷにアクセスすることができる。
【００２２】
端末装置ＵＥ１は、端末装置ＵＥ２とスモール基地局Ｓ−ＢＳとの間の通信を中継する中継端末装置の候補である。端末装置ＵＥ２は、無線通信リンク１１０により端末装置ＵＥ１とＤ２Ｄ通信（端末間通信）を行うことにより、中継端末装置としての当該端末装置ＵＥ１を介してスモール基地局Ｓ−ＢＳと通信を行うことができる。これにより、端末装置ＵＥ２は、中継端末装置としての端末装置ＵＥ１とスモール基地局Ｓ−ＢＳとを介して、インターネット等の外部の通信ネットワークＮＷにアクセスすることができる。以下、説明の便宜上、端末装置ＵＥ１をリレー（relay）端末ＵＥ１と称し、端末装置ＵＥ２をリモート（remote）端末ＵＥ２と称する。
【００２３】
制御装置１０は、通信リンク１０１によりスモール基地局Ｓ−ＢＳと通信を行う。制御装置１０は、通信リンク１０２によりマクロ基地局Ｍ−ＢＳと通信を行う。制御装置１０は、リレー端末ＵＥ１とリモート端末ＵＥ２との間のＤ２Ｄ通信の設定を行う。通信リンク１０１，１０２は、有線であってもよく、又は、無線であってもよい。
【００２４】
次に図２を参照して、本実施形態に係る無線中継方法を説明する。図２は、本実施形態に係る無線中継方法の手順の例を示すシーケンス図である。
【００２５】
（ステップＳ１）  リモート端末ＵＥ２は、通信サービス要求を、マクロ基地局Ｍ−ＢＳを介して制御装置１０へ送信する。通信サービス要求は、通信サービスの特定のサービスタイプを示すサービスタイプ情報を含む。サービスタイプ情報は、サービスタイプを識別するサービスタイプ識別子であってもよい。通信サービス要求として、例えば、「PDU（Protocol Data Unit） session establishment request」メッセージを利用してもよい。
【００２６】
（ステップＳ２）  制御装置１０は、リモート端末ＵＥ２からの通信サービス要求に応じて、当該通信サービス要求のサービスタイプ情報が示すサービスタイプに対応する新規の無線通信品質測定の測定報告を実施するか否かを判断する。当該無線通信品質測定は、リレー端末ＵＥ１とスモール基地局Ｓ−ＢＳとの間の無線通信品質の測定である。
【００２７】
新規の無線通信品質測定の測定報告の実施判断方法を、図３を参照して説明する。図３は、本実施形態に係る新規の無線通信品質測定の測定報告の実施判断方法を説明するための概念図である。本実施形態では、通信サービスのサービスタイプ毎に、無線通信品質測定の再利用を行う。図３の例では、通信サービスのサービスタイプとして、「text web」、「video」及び「voice」の３つが示される。制御装置１０は、「text web」の通信サービス要求として「Request1」、「Request2」及び「Request3」の３個と、「video」の通信サービス要求として「Request4」、「Request5」、「Request6」及び「Request7」の４個と、「voice」の通信サービス要求として「Request8」、「Request9」及び「Request10」の３個とを受信する。
【００２８】
このとき、制御装置１０は、３個の「text web」の通信サービス要求のうち、１個の通信サービス要求「Request1」のみに対して、「text web」に対応する新規の無線通信品質測定を実施する。したがって、制御装置１０は、他の２個の通信サービス要求「Request2」及び「Request3」に対しては、無線通信品質測定の測定報告を実施させない。そして、制御装置１０は、通信サービス要求「Request1」に対して実施した無線通信品質測定を、他の２個の通信サービス要求「Request2」及び「Request3」に対して再利用する。
【００２９】
制御装置１０は、４個の「video」の通信サービス要求に対しても同様に、１個の通信サービス要求「Request4」のみに対して、「video」に対応する新規の無線通信品質測定を実施し、他の３個の通信サービス要求「Request5」、「Request6」及び「Request7」に対しては、無線通信品質測定の測定報告を実施させない。そして、制御装置１０は、通信サービス要求「Request4」に対して実施した無線通信品質測定を、他の３個の通信サービス要求「Request5」、「Request6」及び「Request7」に対して再利用する。
【００３０】
制御装置１０は、３個の「voice」の通信サービス要求に対しても同様に、１個の通信サービス要求「Request8」のみに対して、「voice」に対応する新規の無線通信品質測定を実施し、他の２個の通信サービス要求「Request9」及び「Request10」に対しては、無線通信品質測定の測定報告を実施させない。そして、制御装置１０は、通信サービス要求「Request8」に対して実施した無線通信品質測定を、他の２個の通信サービス要求「Request9」及び「Request10」に対して再利用する。
【００３１】
上述のように本実施形態によれば、同じサービスタイプの複数の通信サービス要求に対して、少なくとも１個の通信サービス要求に対しては無線通信品質測定を実施するが、当該複数の通信サービス要求の全部に対しては無線通信品質測定の測定報告を実施させない。そして、無線通信品質測定の測定報告を実施させない通信サービス要求に対しては、過去に実施した無線通信品質測定を再利用する。このため、無線通信品質の測定報告は、同じサービスタイプの複数の通信サービス要求に対して、少なくとも１個の通信サービス要求に対しては行われるが、当該複数の通信サービス要求の全部に対しては行われない。これにより、無線通信品質の測定報告の増大を抑制することができる。
【００３２】
説明を図２に戻す。
制御装置１０は、リモート端末ＵＥ２からの通信サービス要求のサービスタイプに対応する新規の無線通信品質測定を実施すると判断した場合に、当該サービスタイプに対応する新規の無線通信品質測定を、スモール基地局Ｓ−ＢＳに要求する。この無線通信品質測定要求は、当該サービスタイプを示すサービスタイプ情報を含む。一方、制御装置１０は、リモート端末ＵＥ２からの通信サービス要求のサービスタイプに対応する新規の無線通信品質測定を実施しないと判断した場合には、新規の無線通信品質測定をスモール基地局Ｓ−ＢＳに要求しない。
【００３３】
（ステップＳ３）  スモール基地局Ｓ−ＢＳは、制御装置１０からの特定のサービスタイプに対応する新規の無線通信品質測定の要求に応じて、当該特定のサービスタイプに対応する新規の無線通信品質測定の設定をリレー端末ＵＥ１１に行う。この無線通信品質測定の設定情報は、ブロードキャストにより各リレー端末ＵＥ１に送信される。無線通信品質測定の設定方法の例を以下に説明する。
【００３４】
（無線通信品質測定の設定方法の例１）
無線通信品質測定の設定方法の例１は、新規の無線通信品質測定の測定報告を実施させる対象のリレー端末ＵＥ１の決定に関する。無線通信品質測定の設定方法の例１では、端末除外条件に該当するリレー端末ＵＥ１を除外した残りのリレー端末ＵＥ１に対して、新規の無線通信品質測定の測定報告を実施させる。端末除外条件に該当するリレー端末ＵＥ１は、中継端末装置として不適当であると考えられるものである。このため、端末除外条件に該当するリレー端末ＵＥ１による新規の無線通信品質測定の測定報告は、中継端末装置の決定においては無用である。以下に端末除外条件の例１−１，１−２，１−３，１−４を示す。
【００３５】
（端末除外条件の例１−１）
端末除外条件の例１−１では、移動中状態のリレー端末ＵＥ１を除外する。これは、移動中状態のリレー端末ＵＥ１（移動しているリレー端末ＵＥ１）は、移動していないリレー端末ＵＥ１に比して、通信が不安定になる可能性が高いと考えられるからである。
【００３６】
（端末除外条件の例１−２）
端末除外条件の例１−２では、通信中状態のリレー端末ＵＥ１を除外する。これは、通信中状態のリレー端末ＵＥ１は、リモート端末ＵＥ２の通信の中継を行うことよりも、自己の通信を優先させる方が好ましいと考えられるからである。通信中状態として、「RRC_connected state」を利用してもよい。
【００３７】
（端末除外条件の例１−３）
端末除外条件の例１−３では、禁止エリア（forbidden area）該当状態のリレー端末ＵＥ１を除外する。これは、禁止エリア該当状態のリレー端末ＵＥ１は、無線通信を行うことが不適当であると考えられるからである。禁止エリア該当状態は、リレー端末ＵＥ１が禁止エリア内に存在していてもよく、又は、リレー端末ＵＥ１が禁止エリア付近に存在していてもよい。禁止エリア該当状態の判定は、禁止エリアの無線品質閾値により行ってもよい。禁止エリアの無線品質閾値として、例えば、ＲＳＲＰ（Reference Signal Received Power）の閾値、ＳＮＲ（Signal to Noise Ratio）の閾値が挙げられる。リレー端末ＵＥ１において、禁止エリアの無線信号の無線品質が禁止エリアの無線品質閾値よりも良い場合に、当該リレー端末ＵＥ１が禁止エリア該当状態であると判定してもよい。
【００３８】
（端末除外条件の例１−４）
端末除外条件の例１−４では、無線品質不適状態のリレー端末ＵＥ１を除外する。これは、無線品質不適状態のリレー端末ＵＥ１は、通信サービスの要求を満足する無線通信を行うことが難しいと考えられるからである。無線品質不適状態の判定は、無線品質閾値により行ってもよい。無線品質閾値として、例えば、ＲＳＲＰの閾値、ＳＮＲの閾値が挙げられる。リレー端末ＵＥ１において、スモール基地局Ｓ−ＢＳの無線信号の無線品質が無線品質閾値よりも悪い場合に、当該リレー端末ＵＥ１が無線品質不適状態であると判定してもよい。
【００３９】
また、無線品質閾値として、サービスタイプ毎の無線品質閾値（サービスタイプ無線品質閾値）を設けてもよい。あるサービスタイプのサービスタイプ無線品質閾値は、当該サービスタイプの通信サービスに所要の無線品質を判定するための閾値である。リレー端末ＵＥ１において、スモール基地局Ｓ−ＢＳの無線信号の無線品質が、新規の無線通信品質測定の要求で指定されたサービスタイプのサービスタイプ無線品質閾値よりも悪い場合に、当該リレー端末ＵＥ１が無線品質不適状態であると判定してもよい。
【００４０】
上記の端末除外条件の例１−１，１−２，１−３，１−４のうち、いずれか一つの条件のみを使用してもよく、又は、いずれか複数若しくは全ての条件を使用してもよい。
【００４１】
上述のように本実施形態に係る無線通信品質測定の設定方法の例１によれば、移動中状態、通信中状態、禁止エリア該当状態及び無線品質不適状態のうち少なくともいずれかの状態に該当するリレー端末ＵＥ１をスモール基地局Ｓ−ＢＳのスモールセルＳ−Ｃｅｌｌ内に存在する複数のリレー端末ＵＥ１の中から除外した残りのリレー端末ＵＥ１に対して、新規の無線通信品質測定の測定報告を実施させる。当該除外されたリレー端末ＵＥ１は、中継端末装置として不適当であると考えられるものである。これにより、中継端末装置の決定においては無用である新規の無線通信品質測定の測定報告が削減されるので、無線通信品質の測定報告の増大を抑制することができる。
【００４２】
（無線通信品質測定の設定方法の例２）
無線通信品質測定の設定方法の例２は、新規の無線通信品質測定の測定報告を実施させる対象の周波数帯の決定に関する。無線通信品質測定の設定方法の例２では、スモール基地局Ｓ−ＢＳのスモールセルＳ−Ｃｅｌｌに隣接する隣接セルで使用中の周波数帯を自セルで使用可能な複数の周波数帯の中から除外した残りの周波数帯を対象にして、新規の無線通信品質測定の測定報告を実施させる。隣接セルで使用中の周波数帯は、リレー端末ＵＥ１とリモート端末ＵＥ２との間のＤ２Ｄ通信の無線通信リンク１１０には不適当である。このため、隣接セルで使用中の周波数帯についての新規の無線通信品質測定の測定報告は、中継端末装置の決定においては無用である。
【００４３】
図４を参照して、無線通信品質測定の設定方法の例２を説明する。図４は、本実施形態に係る無線通信品質測定の設定方法の例２を説明するための概念図である。スモール基地局Ｓ−ＢＳ＿１のスモールセルＳ−Ｃｅｌｌとスモール基地局Ｓ−ＢＳ＿２のスモールセルＳ−Ｃｅｌｌとは隣接している。スモール基地局Ｓ−ＢＳ＿１とスモール基地局Ｓ−ＢＳ＿２とは、お互いに、自己のスモールセルＳ−Ｃｅｌｌで使用中の周波数帯を示す使用周波数帯情報を交換する。スモール基地局Ｓ−ＢＳ＿１は、スモール基地局Ｓ−ＢＳ＿２の使用周波数帯情報を受信する。
【００４４】
図４の例では、スモール基地局Ｓ−ＢＳ＿１及びＳ−ＢＳ＿２は、自己のスモールセルＳ−Ｃｅｌｌにおいて、５個のコンポーネントキャリア（CC：Component Carrier）であるＣＣ１からＣＣ５まで（第１コンポーネントキャリアから第５コンポーネントキャリアまで）を使用可能である。スモール基地局Ｓ−ＢＳ＿２の使用周波数帯情報は、スモール基地局Ｓ−ＢＳ＿１のスモールセルＳ−Ｃｅｌｌで使用可能なＣＣ１からＣＣ５までのうち、ＣＣ１とＣＣ３とが使用中であることを示している。スモール基地局Ｓ−ＢＳ＿１は、スモール基地局Ｓ−ＢＳ＿２の使用周波数帯情報によって、自己のスモールセルＳ−Ｃｅｌｌに隣接する隣接セルでＣＣ１とＣＣ３とが使用中であることを認識する。そして、スモール基地局Ｓ−ＢＳ＿１は、５個のコンポーネントキャリア（ＣＣ１からＣＣ５まで）の中からＣＣ１とＣＣ３を除外した残りの３個のコンポーネントキャリア（ＣＣ２，ＣＣ４，ＣＣ５）を対象にして、新規の無線通信品質測定の測定報告を実施させる。
【００４５】
図４の例では、スモール基地局Ｓ−ＢＳ＿１は、測定報告の実施対象である３個のコンポーネントキャリア（ＣＣ２，ＣＣ４，ＣＣ５）については同期信号（sync. Sig：synchronization signal）を送信するが、測定報告の実施対象ではない２個のコンポーネントキャリア（ＣＣ１，ＣＣ３）については同期信号（sync. Sig）を送信しない。同期信号（sync. Sig）は、Ｄ２Ｄ通信の端末の発見（D2D discovery）において使用される信号である。図４中のＳＬＳＳ（Side Link Synchronization Signal）は、各ＣＣにおいて端末間で使用される同期信号である。
【００４６】
上述のように本実施形態に係る無線通信品質測定の設定方法の例２によれば、スモール基地局Ｓ−ＢＳは、自セルに隣接する隣接セルの他基地局装置から当該他基地局装置が当該隣接セルで使用中の周波数帯を示す使用周波数帯情報を受信し、当該使用周波数帯情報により示される周波数帯を自セルで使用可能な複数の周波数帯の中から除外した残りの周波数帯を対象にして、新規の無線通信品質測定の測定報告を実施させる。当該除外された周波数帯は、リレー端末ＵＥ１とリモート端末ＵＥ２との間のＤ２Ｄ通信の無線通信リンク１１０には不適当である。これにより、中継端末装置の決定においては無用である新規の無線通信品質測定の測定報告が削減されるので、無線通信品質の測定報告の増大を抑制することができる。
【００４７】
以上が無線通信品質測定の設定方法の例の説明である。
【００４８】
説明を図２に戻す。
リレー端末ＵＥ１１は、スモール基地局Ｓ−ＢＳからブロードキャストにより特定のサービスタイプに対応する新規の無線通信品質測定の設定情報を受信する。リレー端末ＵＥ１は、当該無線通信品質測定の設定情報に従って、当該特定のサービスタイプに対応する新規の無線通信品質測定の測定報告を行う。リレー端末ＵＥ１は、当該無線通信品質測定の設定情報に基づいて、自己が測定報告の実施対象である場合には測定報告を行い、一方、自己が測定報告の実施対象ではない場合には測定報告を行わない。なお、リレー端末ＵＥ１は、自己が測定報告の実施対象ではない場合に、当該特定のサービスタイプに対応する新規の無線通信品質測定を、実施してもよく又は実施しなくてもよい。
【００４９】
（ステップＳ４）  制御装置１０は、特定のサービスタイプに対応する新規の無線通信品質測定の測定報告に基づいて当該特定のサービスタイプに対応する中継端末装置に決定されたリレー端末ＵＥ１と、リモート端末ＵＥ２との間のＤ２Ｄ通信の設定を行う。当該中継端末装置であるリレー端末ＵＥ１と、リモート端末ＵＥ２とは、当該Ｄ２Ｄ通信の設定に従って、「D2D discovery」を実施する。
【００５０】
（ステップＳ５）  リモート端末ＵＥ２は、中継端末装置（リレー端末ＵＥ１）と無線通信リンク１１０によりＤ２Ｄ通信を行うことにより、中継端末装置（リレー端末ＵＥ１）を介してスモール基地局Ｓ−ＢＳと通信を行う。中継端末装置（リレー端末ＵＥ１）は、リモート端末ＵＥ２とスモール基地局Ｓ−ＢＳとの間の通信を中継する。これにより、リモート端末ＵＥ２は、中継端末装置（リレー端末ＵＥ１）とスモール基地局Ｓ−ＢＳとを介して、インターネット等の外部の通信ネットワークＮＷにアクセスする。
【００５１】
次に図５を参照して、本実施形態に係る無線通信システム１の一実施例を説明する。図５は、本実施形態に係る無線通信システム１の一実施例の説明図である。
【００５２】
本実施形態に係る制御装置としてのアクセスコントロールノード（Access Control Node）１０は、サービスタイプ分類部（Service type categorizing module）１１と、設定部（Configuration module）１２と、情報収集部（Info collection module）１３と、スケジューリング部（Scheduling module）１４と、中継端末候補リスト２０と、を備える。中継端末候補リスト２０は、アクセスコントロールノード１０が有する記憶領域に設けられたリスト格納部（図示せず）に格納される。
【００５３】
サービスタイプ分類部１１は、通信サービスの各サービスタイプの情報を有する。設定部１２は、Ｄ２Ｄ通信の設定を行う。情報収集部１３は、中継端末装置の決定のための情報の収集を行う。スケジューリング部１４は、Ｄ２Ｄ通信のスケジューリングを行う。
【００５４】
中継端末候補リスト２０は、通信サービスの各サービスタイプに対応する中継端末装置の候補であるリレー端末ＵＥ１を示すリストである。図５の例では、中継端末候補リスト２０は、第１サービスタイプ（Service type 1）の中継端末装置の候補であるリレー端末ＵＥ１を示す端末リスト（UE list 1）と、第２サービスタイプ（Service type 2）の中継端末装置の候補であるリレー端末ＵＥ１を示す端末リスト（UE list 2）と、第３サービスタイプ（Service type 3）の中継端末装置の候補であるリレー端末ＵＥ１を示す端末リスト（UE list 3）と、を有する。
【００５５】
アクセスコントロールノード１０は、専用のハードウェアにより実現されるものであってもよく、又は、ＣＰＵ（Central Processing Unit：中央演算処理装置）及びメモリ等により構成され、アクセスコントロールノード１０の各部の機能を実現するためのコンピュータプログラムをＣＰＵが実行することによりその機能を実現させるものであってもよい。
【００５６】
スモール基地局Ｓ−ＢＳは、データ中継部（Data relay module）３１と、測定設定部（Configuration module）３２と、情報収集部３３と、スケジューリング部３４と、を備える。データ中継部３１は、リモート端末ＵＥ２とインターネット等の外部の通信ネットワークＮＷとの間の通信データの中継を行う。測定設定部３２は、無線通信品質測定の設定を行う。情報収集部３３は、中継端末装置の決定のための情報の収集を行う。情報収集部３３は、基地局情報交換部の機能を有する。スケジューリング部３４は、Ｄ２Ｄ通信のスケジューリングを行う。
【００５７】
リレー端末ＵＥ１は、データ中継部５１と、設定受信部（conf.（Configuration） RX module）５２と、情報収集部５３と、スケジューリング部５４と、測定部（measure. Report TX module）５５と、同期信号送信部（Sync. Signal TX module）５６と、を備える。データ中継部５１は、リモート端末ＵＥ２とスモール基地局Ｓ−ＢＳとの間の通信データの中継を行う。設定受信部５２は、無線通信品質測定の設定情報の受信を行う。情報収集部５３は、中継端末装置の決定のための情報の収集を行う。スケジューリング部５４は、Ｄ２Ｄ通信のスケジューリングを行う。測定部５５は、無線通信品質測定の測定報告を行う。同期信号送信部５６は、同期信号の送信を行う。
【００５８】
リモート端末ＵＥ２は、送受部（TX/RX module）７１と、設定受信部７２と、情報収集部７３と、キャリア選択部（Carrier Selection module）７４と、を備える。送受部７１は、Ｄ２Ｄ通信のデータの送信及び受信を行う。設定受信部７２は、Ｄ２Ｄ通信の設定情報の受信を行う。情報収集部７３は、Ｄ２Ｄ通信のための情報の収集を行う。キャリア選択部７４は、Ｄ２Ｄ通信のキャリアの選択を行う。
【００５９】
リレー端末ＵＥ１及びリモート端末ＵＥ２として、スマートフォンやタブレット型のコンピュータ（タブレットＰＣ）等の携帯通信端末装置を適用してもよい。
【００６０】
以下、図５を参照して、本実施形態に係る無線通信品質測定方法の手順の一例を説明する。
【００６１】
（ステップＳ１０１）  リモート端末ＵＥ２は、通信サービス要求メッセージ（service request message）を、マクロ基地局Ｍ−ＢＳを介してアクセスコントロールノード１０へ送信する。通信サービス要求メッセージ（service request message）は、サービスタイプ情報を含む。サービスタイプ情報は、ＱＣＩ（QoS Class Identifier）を含む情報であってもよい。通信サービス要求メッセージ（service request message）として、「PDU session establishment request」メッセージを利用してもよい。
【００６２】
アクセスコントロールノード１０のサービスタイプ分類部１１は、リモート端末ＵＥ２から受信した通信サービス要求メッセージのサービスタイプ情報により、リモート端末ＵＥ２が要求する通信サービスのサービスタイプを特定する。サービスタイプ分類部１１は、当該特定したサービスタイプ（以下、特定サービスタイプと称する）を、当該リモート端末ＵＥ２が要求する通信サービスのサービスタイプとして記録する。サービスタイプ分類部１１は、サービスタイプ情報に含まれるＱＣＩに基づいて、特定サービスタイプを分類してもよい。
【００６３】
（ステップＳ１０２）  アクセスコントロールノード１０の情報収集部１３は、スモール基地局Ｓ−ＢＳに対して、負荷状態の確認（Load check）を行う。情報収集部１３は、負荷状態の確認の対象のスモールセルＳ−Ｃｅｌｌの基地局識別情報（BS ID）を含む負荷状態確認メッセージをスモール基地局Ｓ−ＢＳへ送信する。スモールセルＳ−Ｃｅｌｌは、アクセスコントロールノード１０から受信した負荷確認メッセージに応じて、自己の負荷状態を示す負荷状態識別情報（load indicator）をアクセスコントロールノード１０へ返信する。スモール基地局Ｓ−ＢＳの負荷状態識別情報は、スモール基地局Ｓ−ＢＳのハードウェアに関する負荷、トランスポートネットワーク（TNL：transport network layer）に関する負荷、リソースブロックの割り当て状況（resource block allocation）などのスモール基地局Ｓ−ＢＳの負荷状態を示す負荷状態情報に基づいて決定される。スモール基地局Ｓ−ＢＳの情報収集部３３は、該負荷状態情報を収集し、該負荷状態情報に基づいて自スモール基地局Ｓ−ＢＳの負荷状態識別情報を決定する。
【００６４】
アクセスコントロールノード１０の情報収集部１３は、スモール基地局Ｓ−ＢＳから受信した負荷状態識別情報に基づいて、過負荷状態のスモールセルＳ−Ｃｅｌｌを、リモート端末ＵＥ２との通信を行う対象から除外する。情報収集部１３は、サービスタイプ分類部１１が記録した特定サービスタイプと同じサービスタイプ又は当該特定サービスタイプよりも通信品質（例えばスループット）の要求が高いサービスタイプの中継端末装置の候補であるリレー端末ＵＥ１を示す端末リストが中継端末候補リスト２０の中に存在するか否かを判断する。情報収集部１３は、当該端末リストが中継端末候補リスト２０の中に存在する場合には、新規の無線通信品質測定を実施させない。この場合、以降のステップＳ１０３−Ｓ１０６は実施されない。一方、情報収集部１３は、当該端末リストが中継端末候補リスト２０の中に存在しない場合には、新規の無線通信品質測定を実施させる。この場合、ステップＳ１０３に進む。
【００６５】
図６は、本実施形態に係る中継端末候補リスト２０の一構成例を示す図である。図６の例において、中継端末候補リスト２０は、スモール基地局Ｓ−ＢＳのスモールセルＳ−Ｃｅｌｌ内に存在する複数のリレー端末ＵＥ１の中から中継端末装置の候補であるリレー端末ＵＥ１を示す端末リストを、サービスタイプ毎に且つＣＣ（コンポーネントキャリア）毎に有する。図６に示す中継端末候補リスト２０によれば、スモール基地局Ｓ−ＢＳのスモールセルＳ−Ｃｅｌｌで使用可能な各ＣＣにおいて、サービスタイプ毎に、中継端末装置の候補であるリレー端末ＵＥ１を認識することができる。
【００６６】
（ステップＳ１０３）  アクセスコントロールノード１０は、リモート端末ＵＥ２との通信を行う対象のスモールセルＳ−Ｃｅｌｌに対して、特定サービスタイプに対応する新規の無線通信品質測定を要求する無線通信品質測定要求メッセージを送信する。当該無線通信品質測定要求メッセージは、特定サービスタイプを示すサービスタイプ情報を含む。
【００６７】
（ステップＳ１０４）  スモール基地局Ｓ−ＢＳは、アクセスコントロールノード１０から受信した無線通信品質測定要求メッセージに応じて、特定サービスタイプに対応する新規の無線通信品質測定の設定をリレー端末ＵＥ１に行う。当該新規の無線通信品質測定の設定では、上述した無線通信品質測定の設定方法の例１及び例２が実施される。
【００６８】
上述した無線通信品質測定の設定方法の例１により、スモール基地局Ｓ−ＢＳのスモールセルＳ−Ｃｅｌｌ内に存在する複数のリレー端末ＵＥ１の中から、端末除外条件に該当するリレー端末ＵＥ１が中継端末装置の候補から除外される。端末除外条件は、スモール基地局Ｓ−ＢＳに予め設定されていてもよく、又は、スモール基地局Ｓ−ＢＳが自己の端末除外条件を決定してもよい。
【００６９】
図７は、本実施形態に係る端末除外条件の一例を示す図である。図７に示す端末除外条件では、１６個のルーリングパターン１−１６が示される。図７において、各ルーリングパターン１−１６は、ＳＮＲ閾値（SNR threshold）、通信中状態（Communicating state）、移動中状態（Mobile state）及び禁止エリアＳＮＲ閾値（Forbidden area SNR threshold）の４個の条件項目と、無線通信品質測定の測定報告の実施の可否の決定の項目（Decision to send MR or not）とを有する。ルーリングパターン１−１６の中で、ルーリングパターン２のみが無線通信品質測定の測定報告の実施可であり、残りのルーリングパターン１，３−１６は無線通信品質測定の測定報告の実施否である。ルーリングパターン２は、リレー端末ＵＥ１において、「ＳＮＲがＳＮＲ閾値以上である」且つ「通信中状態がＮＯ（通信中状態ではない）」且つ「移動中状態がＮＯ（移動していない）」且つ「ＳＮＲが禁止エリアＳＮＲ閾値未満である」を満たす場合に、当該リレー端末ＵＥ１は無線通信品質測定の測定報告の実施可であることを示す。ルーリングパターン１，３−１６は、ルーリングパターン２以外の条件項目の内容であり、ルーリングパターン１，３−１６の条件項目に該当するリレー端末ＵＥ１は無線通信品質測定の測定報告の実施否であることを示す。
【００７０】
測定設定部３２は、所定の運用方針に従って、端末除外条件を生成してもよい。移動中状態の定義は、オペレータが任意に設定してもよい。例えば、リレー端末ＵＥ１の移動速度が、毎秒１メートル未満である状態を移動中状態「Ｎｏ」とし、毎秒１メートル以上である状態を移動中状態「Ｙｅｓ」としてもよい。通信中状態の定義は、オペレータが任意に設定してもよい。例えば、リレー端末ＵＥ１が１０秒以上通信していない状態を通信中状態「Ｎｏ（アイドル状態（idle state）」とし、アイドル状態以外の状態を通信中状態「Ｙｅｓ」としてもよい。禁止エリアＳＮＲ閾値は、オペレータが任意に設定してもよい。
【００７１】
ＳＮＲ閾値は、特定サービスタイプに応じて決定される。特定サービスタイプのＳＮＲ閾値の決定方法を以下に説明する。特定サービスタイプ（Ｎ，ｓｔ＿Ｎ）が要求するスループットＴＰ＿ｓｔ＿Ｎは、既知である。スモール基地局Ｓ−ＢＳが自己のスモールセルＳ−Ｃｅｌｌで使用可能な帯域（使用可能帯域）ＢＷは、既知である。使用可能帯域ＢＷを示す情報として、例えば、１秒当たりの休止リソースブロック数が挙げられる。特定サービスタイプ（Ｎ，ｓｔ＿Ｎ）で要求されるＭＣＳ（Modulation and Coding Scheme）＿ｓｔ＿Ｎは、次式により表される。
ＭＣＳ＿ｓｔ＿Ｎ＝ＴＰ＿ｓｔ＿Ｎ÷ＢＷ
そして、特定サービスタイプ（Ｎ，ｓｔ＿Ｎ）で要求されるＳＮＲ＿ｓｔ＿Ｎは、ＭＣＳ＿ｓｔ＿Ｎから計測可能である。なお、ノイズ（noise）が既知である場合には、ＳＮＲ＿ｓｔ＿Ｎを、ＲＳＳＩ（Received Signal Strength Indicator）により替えてもよい。
【００７２】
また、上述した無線通信品質測定の設定方法の例２により、スモール基地局Ｓ−ＢＳのスモールセルＳ−Ｃｅｌｌで使用可能な複数のＣＣ（コンポーネントキャリア）の中から、当該スモールセルＳ−Ｃｅｌｌに隣接する隣接セルで使用中のＣＣが当該新規の無線通信品質測定の測定報告の実施対象から除外される。アクセスコントロールノード１０の情報収集部３３（地局情報交換部の機能）は、自スモール基地局Ｓ−ＢＳのスモールセルＳ−Ｃｅｌｌに隣接する隣接セルの他基地局装置から、当該他基地局装置が当該隣接セルで使用中のＣＣを示す使用周波数帯情報を受信する。測定設定部３２は、当該使用周波数帯情報により示されるＣＣを自スモールセルＳ−Ｃｅｌｌで使用可能な複数のＣＣの中から除外した残りのＣＣを対象にして、新規の無線通信品質測定の測定報告を実施させる。
【００７３】
説明を図５に戻す。
スモール基地局Ｓ−ＢＳの測定設定部３２は、特定サービスタイプに対応する新規の無線通信品質測定の設定情報をブロードキャストにより各リレー端末ＵＥ１に送信する。当該設定情報は、端末除外条件（例えば図７に示すルーリングパターン１−１６）及び新規の無線通信品質測定の測定報告を実施させる対象のＣＣ（測定報告対象ＣＣ）を示す測定報告対象周波数帯情報を含む。当該設定情報のブロードキャストには、「group configuration message」を利用してもよい。
【００７４】
（ステップＳ１０５）  リレー端末ＵＥ１の測定部５５は、スモール基地局Ｓ−ＢＳからブロードキャストにより受信した端末除外条件及び測定報告対象周波数帯情報に従って、自リレー端末ＵＥ１が新規の無線通信品質測定の測定報告を実施するか否かを判断する。図７に示す端末除外条件の例の場合、測定部５５は、情報収集部５３が測定した「測定報告対象ＣＣのＳＮＲ」、自リレー端末ＵＥ１の移動中状態及び自リレー端末ＵＥ１の通信中状態により、ルーリングパターン１−１６のいずれに該当するのかを判断する。測定部５５は、当該判断の結果、ルーリングパターン２に該当する場合には自リレー端末ＵＥ１が新規の無線通信品質測定の測定報告を実施すると判断し、一方、ルーリングパターン２以外のルーリングパターン１，３−１６に該当する場合には自リレー端末ＵＥ１が新規の無線通信品質測定の測定報告を実施しないと判断する。
【００７５】
測定部５５は、自リレー端末ＵＥ１が新規の無線通信品質測定の測定報告を実施する場合に、測定報告対象ＣＣの無線通信品質測定の測定報告をスモール基地局Ｓ−ＢＳへ送信する。測定報告対象ＣＣの無線通信品質測定の測定報告は、情報収集部５３が測定した測定報告対象ＣＣの無線通信品質測定の測定値（RSRP、RSRQ（Reference Signal Received Quality）、SINR（Signal to Interference and Noise power Ratio）、SNR、RSSIなど）に基づいたものである。
【００７６】
（ステップＳ１０６）  スモール基地局Ｓ−ＢＳの情報収集部３３は、各リレー端末ＵＥ１から受信した測定報告対象ＣＣの無線通信品質測定の測定報告に基づいて、特定サービスタイプの中継端末装置の候補であるリレー端末ＵＥ１を示す端末リスト（以下、特定サービスタイプ端末リストと称する）を生成する。特定サービスタイプの中継端末装置の候補になるリレー端末ＵＥ１は、特定サービスタイプが要求する通信品質を満たす測定報告を行ったものである。情報収集部３３は、該生成した特定サービスタイプ端末リストをアクセスコントロールノード１０へ送信する。
【００７７】
アクセスコントロールノード１０の情報収集部１３は、スモール基地局Ｓ−ＢＳから受信した特定サービスタイプ端末リストを、中継端末候補リスト２０に追加する。これにより、特定サービスタイプ端末リストが追加されて更新された中継端末候補リスト２０がリスト格納部に格納される。
【００７８】
（ステップＳ１０７）  アクセスコントロールノード１０の設定部１２は、スモール基地局Ｓ−ＢＳのスモールセルＳ−Ｃｅｌｌに隣接する隣接セルで使用中のＣＣを当該隣接セルの基地局に問合せし、その返答を得る。設定部１２は、当該返答により当該隣接セルで使用中のＣＣをＤ２Ｄ通信で使用可能な複数のＣＣから除外した残りのＣＣを、Ｄ２Ｄ通信で使用するＣＣの候補（以下、Ｄ２Ｄ候補ＣＣと称する）に決定する。
【００７９】
設定部１２は、Ｄ２Ｄ通信の設定情報（Sensing conf. message）を、マクロ基地局Ｍ−ＢＳを介してリモート端末ＵＥ２に送信する。当該Ｄ２Ｄ通信の設定情報は、リレー端末ＵＥ１の端末識別子（Remote UE ID）、Ｄ２Ｄ候補ＣＣを示すＤ２Ｄ候補ＣＣ情報、同期信号の到着タイミングの候補を示す同期信号到着タイミング候補情報（candidate arriving timing of synchronization signal）などを含む。
【００８０】
（ステップＳ１０８）  アクセスコントロールノード１０の設定部１２は、特定サービスタイプの端末リストに示される中継端末装置の候補のリレー端末ＵＥ１（以下、候補リレー端末ＵＥ１と称する）を対象にしたＤ２Ｄ通信のグループ設定メッセージ（group configuration message）を生成する。当該グループ設定メッセージは、各候補リレー端末ＵＥ１の識別子（Group of relay UE IDs）、Ｄ２Ｄ候補ＣＣ情報、同期信号の送信タイミングの候補を示す同期信号送信タイミング候補情報（candidate TX timings of synchronization signal）などを含む。設定部１２は、当該グループ設定メッセージを、マクロ基地局Ｍ−ＢＳを介してブロードキャスト又はマルチキャストにより、各候補リレー端末ＵＥ１へ送信する。
【００８１】
（ステップＳ１０９）  候補リレー端末ＵＥ１の同期信号送信部５６は、アクセスコントロールノード１０から受信したグループ設定メッセージに基づいて、同期信号を送信する。当該同期信号の送信は、Ｄ２Ｄ候補ＣＣ情報で示されるＤ２Ｄ候補ＣＣのみにおいて、同期信号送信タイミング候補情報で示される同期信号の送信タイミングの候補で行われる。
【００８２】
リモート端末ＵＥ２の情報収集部７３は、アクセスコントロールノード１０から受信したＤ２Ｄ通信の設定情報に基づいて、同期信号を受信する。当該同期信号の受信は、Ｄ２Ｄ候補ＣＣ情報で示されるＤ２Ｄ候補ＣＣのみにおいて、同期信号到着タイミング候補情報で示される同期信号の到着タイミングの候補で行われる。
【００８３】
本ステップＳ１０９において、リモート端末ＵＥ２は、Ｄ２Ｄ通信を行う相手の候補リレー端末ＵＥ１（以下、中継リレー端末ＵＥ１と称する）を発見する。リモート端末ＵＥ２と中継リレー端末ＵＥ１とはＤ２Ｄ通信を開始する。
【００８４】
（ステップＳ１１０）  中継リレー端末ＵＥ１のデータ中継部５１は、リモート端末ＵＥ２とスモール基地局Ｓ−ＢＳとの間の通信のデータを中継する。スモール基地局Ｓ−ＢＳのデータ中継部３１は、リモート端末ＵＥ２とインターネット等の外部の通信ネットワークＮＷとの間の通信のデータを中継する。これにより、リモート端末ＵＥ２の送受部７１は、中継リレー端末ＵＥ１及びスモール基地局Ｓ−ＢＳを介して、インターネット等の外部の通信ネットワークＮＷにアクセスする。
【００８５】
次に図８を参照して、本実施形態に係る無線通信システム１の適用例を説明する。図８は、本実施形態に係る無線通信システム１の適用例を示す概略構成図である。図８の例では、大規模なスタジアム１０００に適用する。スタジアム１０００の観客エリアには、観客エリアの大部分をカバーするように複数のスモールセルＳ−Ｃｅｌｌが設けられている。しかし、観客エリアにおいて、隣接するスモールセルＳ−Ｃｅｌｌ間などには、スモールセルＳ−Ｃｅｌｌの圏外のエリア（以下、スモールセル圏外エリアと称する）が存在する。スモールセル圏外エリアに存在するリレー端末ＵＥ１は、スモールセルＳ−Ｃｅｌｌ内に存在するリレー端末ＵＥ１を中継端末装置としてスモール基地局Ｓ−ＢＳと通信を行う。本実施形態によれば、スタジアム１０００において、大勢の観客がスモールセル圏外エリアからリモート端末ＵＥ２により通信を行ったとしても、無線通信品質の測定報告の増大を抑制することができる。これにより、スタジアム１０００に適用された無線通信システム１の通信容量の低下を防止する効果が得られる。
【００８６】
上述した実施形態によれば、スモール基地局Ｓ−ＢＳと、スモール基地局Ｓ−ＢＳの通信圏内に存在する複数のリレー端末ＵＥ１（第１端末装置）と、スモール基地局Ｓ−ＢＳの通信圏外に存在するリモート端末ＵＥ２（第２端末装置）と、リモート端末ＵＥ２からの特定のサービスタイプの通信サービス要求に応じて、当該特定のサービスタイプに対応する無線通信品質測定によりリモート端末ＵＥ２とスモール基地局Ｓ−ＢＳとの間の通信を中継する中継端末装置に決定されたリレー端末ＵＥ１と、リモート端末ＵＥ２との間のＤ２Ｄ通信（端末間通信）の設定を行う制御装置１０と、を備え、リモート端末ＵＥ２からの特定のサービスタイプの通信サービス要求に応じて、当該特定のサービスタイプに対応する過去の無線通信品質測定を再利用し、当該再利用を行う場合には当該特定のサービスタイプに対応する新規の無線通信品質測定の測定報告を実施させない。これにより、無線通信品質の測定報告は、同じサービスタイプの複数の通信サービス要求に対して、少なくとも１個の通信サービス要求に対しては行われるが、当該複数の通信サービス要求の全部に対しては行われないので、無線通信品質の測定報告の増大を抑制することができる。
【００８７】
以上、本発明の実施形態について図面を参照して詳述してきたが、具体的な構成はこの実施形態に限られるものではなく、本発明の要旨を逸脱しない範囲の設計変更等も含まれる。
【００８８】
また、上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００８９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９０】
１…無線通信システム、１０…制御装置、Ｓ−ＢＳ，Ｍ−ＢＳ…基地局装置、ＵＥ１，ＵＥ２…端末装置、端末装置
【図１】
2019096935.tif 000003
【図２】
2019096935.tif 000004
【図３】
2019096935.tif 000005
【図４】
2019096935.tif 000006
【図５】
2019096935.tif 000007
【図６】
2019096935.tif 000008
【図７】
2019096935.tif 000009
【図８】
2019096935.tif 000010